(57)【特許請求の範囲】
【請求項１】
上シェルと下シェルとが結合されて成るカセットシェルの内部にテープ状記録媒体を巻装したテープリールが回転自在に支持されると共にカセットシェルの内部にテープリールの外側に位置する円弧状のリブが設けられたテープカセットであって、
メモリー基板に搭載された所定の情報を記憶するメモリーを保持する保持溝を有するメモリー保持部をカセットシェルの内部に形成し、
上記保持溝をカセットシェルの外周壁と該外周壁からカセットシェルの内部へ突出する第１の保持壁と上記円弧状のリブの一部を用いた第２の保持壁とによって形成し、
上シェル又は下シェルの外周壁にメモリー保持部に連通する連通孔を形成すると共に下シェル又は上シェルの外周壁に上シェルと下シェルとを結合したときに連通孔を閉塞する突片を設け、
連通孔の開口縁に上シェルと下シェルとを結合したときに突片の縁部を受ける受部を設け、
突片の外面をメモリー保持部へのメモリーの保持の有無を表示する表示面として形成した
ことを特徴とするテープカセット。
【発明の詳細な説明】
【０００１】
【発明の属する技術分野】
本発明はテープカセットに関する。詳しくは、上シェルと下シェルとが結合されて成るカセットシェルの内部にテープ状記録媒体を巻装したテープリールが回転自在に支持されると共にカセットシェルの内部にテープリールの外側に位置する円弧状のリブが設けられたテープカセットについての技術分野に関する。
【０００２】
【従来の技術】
テープカセットは、通常、テープ状記録媒体、例えば、磁気テープを巻装したテープリールをカセットシェル内において回転自在に支持して成る。
【０００３】
テープカセットにあっては、メモリー基板に搭載された所定の情報を記憶するメモリーを保持するメモリー保持部がカセットシェルの内部に形成されているものがある。そして、このようなテープカセットにあっては、メモリーがメモリー保持部に保持されているか否かを外部から認識可能にするために、カセットシェルの外周壁の外面のうちメモリー保持部に対応する部分がメモリーの保持の有無を表示する表示面として形成されているものがある。
【０００４】
【発明が解決しようとする課題】
ところで、上記のようなカセットシェルの内部にメモリーが保持されるテープカセットにあっては、メモリーに外部から負荷かがかかってしまうと、メモリーに対する情報の記録等に支障を来たすおそれがあるため、メモリーに負荷がかからないようにする必要がある。特に、カセットシェルの外周壁の一部を、メモリーの保持の有無を表示する表示面として用い当該表示面に印刷表示を形成するようにしたテープカセットにあっては、印刷時に表示面を介してメモリーに負荷がかかり易く、また、表示面が印刷時の負荷によって変形したり当該変形により印刷の不具合が発生するおそれもある。
【０００５】
また、従来のテープカセットにあっては、メモリーを保持するための専用の複数の保持壁を設けているものがあるが、このようなテープカセットにおいては、その分、コスト高であるという問題もある。
【０００６】
そこで、本発明テープカセットは、製造コストの増大を来たすことなく、メモリーに対する負荷の軽減を図ると共にカセットシェルの外周壁の変形を防止することを課題とする。
【０００７】
【課題を解決するための手段】
本発明テープカセットは、上記した課題を解決するために、メモリー基板に搭載された所定の情報を記憶するメモリーを保持する保持溝を有するメモリー保持部をカセットシェルの内部に形成し、上記保持溝をカセットシェルの外周壁と該外周壁からカセットシェルの内部へ突出する第１の保持壁と上記円弧状のリブの一部を用いた第２の保持壁とによって形成し、上シェル又は下シェルの外周壁にメモリー保持部に連通する連通孔を形成すると共に下シェル又は上シェルの外周壁に上シェルと下シェルとを結合したときに連通孔を閉塞する突片を設け、連通孔の開口縁に上シェルと下シェルとを結合したときに突片の縁部を受ける受部を設け、突片の外面をメモリー保持部へのメモリーの保持の有無を表示する表示面として形成したものである。
【０００８】
従って、本発明テープカセットにあっては、メモリーに対しての負荷が軽減されると共に突片の変形が防止される。
【０００９】
【発明の実施の形態】
以下に、本発明テープカセットの実施の形態について添付図面を参照して説明する。
【００１０】
テープカセット１は、薄い箱状をしたカセットシェル２内にテープ状記録媒体である磁気テープ３を巻装した一対のテープリール４、４が左右に離間して回転可能に収納されている（図１及び図２参照）。
【００１１】
カセットシェル２の前端部には、該カセットシェル２の前面に沿って位置する磁気テープ３の前面側を覆うフロントリッド５が回動自在に支持されている（図１参照）。そして、カセットシェル２には磁気テープ３の後側を覆うバックリッド６が支持され、該バックリッド６はカセットシェル２に前後方向に移動自在に支持されたスライダー７に一体に形成されている（図１参照）。
【００１２】
カセットシェル２は上シェル８と下シェル９とが上下で結合されて成る（図１参照）。上シェル８は主面となる天板部１０と該天板部１０の外周縁から垂設された外周壁１１とを有し、下シェル９は主面となる底板部１２と該底板部１２の外周縁から立設された外周壁１３とを有し、外周壁１１と外周壁１３とが突き合わされて上シェル８と下シェル９とが結合される（図１参照）。
【００１３】
外周壁１１、１３は、それぞれ天板部１０又は底板部１２の後縁から突設された後側部１１ａ、１３ａと天板部１０又は底板部１２の左側縁（図２における左方）から突設された左側部１１ｂ、１３ｂと天板部１０又は底板部１２の右側縁（図２における右方）から突設された右側部１１ｃ、１３ｃとを有している。
【００１４】
カセットシェル２の内部には、テープリール４、４の直ぐ外側に円弧状に延びる円弧リブ１４、１４、・・・が設けられている（図２参照）。円弧リブ１４、１４、・・・はテープリール４、４の保護等のための機能を有するものである。円弧リブ１４、１４、・・・のうち最も左側に位置する部分１４ａ、１４ａは、その後端が外周壁１１、１３の後側部１１ａ、１３ａの左端寄りの位置に連続されている（図２参照）。また、円弧リブ１４、１４の部分１４ａ、１４ａの中間部は、外周壁１１、１３の左側部１１ｂ、１３ｂの後端寄りの位置に連結リブ１５、１５を介して連続されている（図２に下シェル９に設けられた連結リブ１５のみを示す。）。
【００１５】
上記のようにして外周壁１１、１３、円弧リブ１４、１４、・・・及び連結リブ１５、１５が構成されることにより、カセットシェル２の内部には、天板部１０、底板部１２、外周壁１１、１３、円弧リブ１４、１４、・・・の部分１４ａ、１４ａ及び連結リブ１５、１５によって囲まれたメモリー保持部１６が形成される（図２参照）。
【００１６】
メモリー保持部１６には、第１の保持壁１７、１８と第２の保持壁１９、２０とが左右に離間して設けられている（図３及び図５参照）。
【００１７】
上シェル８又は下シェル９にそれぞれ設けられた第１の保持壁１７、１８は、それぞれ外周壁１１、１３の左側部１１ｂ、１３ｂから右方へ向けて突設され、下端部又は上端部が後方へいくに従って上方又は下方へ変位する傾斜面１７ａ、１８ａとして形成されている。そして、第１の保持壁１７、１８とこれに対向して位置する外周壁１１、１３の後側部１１ａ、１３ａとの間に所定の間隔が形成されている。従って、第１の保持壁１７、１８とこれに対向して位置する後側部１１ａ、１３ａの左端部とこれらの両者を連結する左側部１１ｂ、１３ｂとによって第１の保持溝２１、２２が構成される。
【００１８】
上シェル８又は下シェル９にそれぞれ設けられた第２の保持壁１９、２０は、それぞれ円弧リブ１４、１４の部分１４ａ、１４ａの一部を所定の形状にすることにより形成されている。第２の保持壁１９、２０は、部分１４ａ、１４ａの右端寄りの部分に設けられ、下端部又は上端部が後方へいくに従って上方又は下方へ変位する傾斜面１９ａ、２０ａとして形成されている。そして、第２の保持壁１９、２０とこれに対向して位置する外周壁１１、１３の後側部１１ａ、１３ａとの間に、第１の保持壁１７、１８と後側部１１ａ、１３ａとの間隔と同じ大きさの間隔が形成されている。従って、第２の保持壁１９、２０とこれに対向して位置する後側部１１ａ、１３ａの部分とこれらの両者を連結する部分１４ａ、１４ａの右端部とによって第２の保持溝２３、２４が構成される。
【００１９】
下シェル９のメモリー保持部１６に対応した位置には、上方に開口しメモリー保持部１６に連通する矩形状の連通孔２５が形成されている（図２乃至図４参照）。連通孔２５の左側開口縁には、右方へいくに従って前方へ変位するように傾斜された部分が設けられ、この部分が第１の受部２５ａとして形成されている。また、連通孔２５の右側開口縁には、左方へいくに従って前方へ変位するように傾斜された部分が設けられ、この部分が第２の受部２５ｂとして形成されている。
【００２０】
上シェル８のメモリー保持部１６に対応した位置には、下方へ突出された突片２６が外周壁１１の後側部１１ａと一体に設けられ（図５及び図６参照）、上シェル８と下シェル９とが結合された状態において、突片２６によって連通孔２５が閉塞される。突片２６は矩形状を為し、左縁と右縁とに互いにいくに従って前方へ変位するように傾斜された部分が設けられ、これらの部分が第１の被受部２６ａ、第２の被受部２６ｂとして形成されている。そして、第１の被受部２６ａ、第２の被受部２６ｂは、それぞれ上記第１の受部２５ａ、第２の受部２５ｂと同じ傾斜角度に形成されている。
【００２１】
メモリー保持部１６には、矩形状を為すメモリー基板２７に搭載されたメモリー２７ａが保持される（図７及び図８参照）。メモリー２７ａはメモリー基板２７の左右両側縁が、それぞれ第１の保持溝２１、２２と第２の保持溝２３、２４とに挿入されることによって保持される。
【００２２】
メモリー基板２７は、例えば、先ず、下シェル９に取り付けられる（図８参照）。下シェル９には連通孔２５が形成されているため、メモリー基板２７を取り付ける際に該メモリー基板２７を把持している指や治具が外周壁１３の後面部１３ａと干渉し難いため、取付作業を適正かつ容易に行うことができる。次いで、下シェル９に上シェル８を結合し、これによりメモリー基板２７をメモリー保持部１６に保持させる。
【００２３】
上記のように、メモリー２７ａをメモリー保持部１６に保持させるときには、メモリー基板２７の左右両側縁がそれぞれ第１の保持溝２１、２２及び第２の保持溝２３、２４に挿入されるが、第１の保持壁１７、１８の先端部及び第２の保持壁１９、２０の先端部がそれぞれ傾斜面１７ａ、１８ａ、１９ａ、２０ａとして形成されているため、メモリー基板２７のメモリー保持部１６への挿入を極めて容易に行うことができる。
【００２４】
上シェル８と下シェル９が結合されメモリー２７ａがメモリー保持部１６に保持された状態においては、上シェル８に設けられた突片２６が下シェル９に形成された連通孔２５を閉塞する（図１参照）。従って、カセットシェル２の内部に保持されたメモリー２７ａは外部から視認することができない。
【００２５】
突片２６の外面及びその上方の部分は、メモリー保持部１６へのメモリー２７ａの保持の有無を表示する表示面２８として形成されており（図１、図６及び図８参照）、該表示面２８に、例えば、印刷によってメモリー２７ａが保持されている旨の表示が形成される。
【００２６】
従って、表示面２８にメモリー２７ａが保持されている旨の表示を形成することにより、外部からメモリー２７ａが保持されていることを容易に認識することができる。また、表示面２８は、上シェル８の外周壁１１の後側部１１ａから突片２６に亘って設けられているため、突片２６と後側部１１ａとに跨って大きな印刷表示を形成することができると共に印刷表示が上シェル８と下シェル９とに跨って分離するようなことがなく適正な印刷表示が形成され、かつ、見やすい表示となる。
【００２７】
表示面２８に表示を形成する印刷工程においては、突片２６に印刷による負荷、即ち、前方へ向けての押圧力が付与されるが、突片２６は第１の被受部２６ａ、第２の被受部２６ｂがそれぞれ下シェル９の第１の受部２５ａ、第２の受部２５ｂにそれぞれ受けられるため、突片２６が変形し難く表示印刷を適正に行うことができると共に保持されているメモリー基板２７及びメモリー２７ａに負荷がかかり難い。
【００２８】
また、テープカセット１にあっては、メモリー２７ａを保持するための第２の保持壁１９、２０を、もともとカセットシェル２に設けられている円弧リブ１４、１４の一部を用いて形成しているため、その分、テープカセット１の製造コストの低減を図ることができる。
【００２９】
尚、第１の保持壁１７、１８は上シェル８又は下シェル９の外周壁１１、１３と一体に形成することができるため、その分、製造コストの低減を図ることができる。
【００３０】
さらに、メモリー保持部１６は円弧リブ１４、１４の部分１４ａ、１４ａの外側に形成されており、もともと空きスペースであるため、スペースの有効活用を図ることができる。
【００３１】
上記には、下シェル９に連通孔２５を形成すると共に上シェル８に突片２６を設けたテープカセット１を示したが、上シェル８に連通孔２５を形成すると共に下シェル９に突片２６を設けるようにしてもよい。
【００３２】
図９乃至図１３は、連通孔又は突片の第１の変形例を示したものである。尚、以下に示す第１の変形例は、上記したテープカセット１の連通孔２５又は突片２６と比較して、形状が異なる点のみが相違するため、異なる部分についてのみ符号を変えて詳細に説明をし、その他の部分についてはテープカセット１における同様の部分に付した符号と同じ符号を付して説明は省略する。
【００３３】
連通孔２５Ａの左側開口縁には、右方へいくに従って前方へ変位するように傾斜された部分が設けられ、この部分が第１の受部２９ａとして形成されている。連通孔２５Ａの右側開口縁には、左方へいくに従って前方へ変位するように傾斜された部分が設けられ、この部分が第２の受部２９ｂとして形成されている。連通孔２５Ａの下側開口縁には、上方へいくに従って前方へ変位するように傾斜された部分が設けられ、この部分が第３の受部２９ｃとして形成されている。そして、第１の受部２９ａと第３の受部２９ｃと第２の受部２９ｂとが連続して形成されている。
【００３４】
突片２６Ａには左縁と右縁とに互いにいくに従って前方へ変位するように傾斜された部分が設けられ、これらの部分が第１の被受部３０ａ、第２の被受部３０ｂとして形成されている。突片２６Ａの下縁には、前方へいくに従って上方へ変位するように傾斜された部分が設けられ、この部分が第３の被受部３０ｃとして形成されている。そして、第１の被受部３０ａと第３の被受部３０ｃと第２の被受部３０ｂとが連続して形成されている。また、第１の被受部３０ａ、第２の被受部３０ｂ及び第３の被受部３０ｃは、それぞれ上記第１の受部２９ａ、第２の受部２９ｂ及び第３の受部２９ｃと同じ傾斜角度に形成されている。
【００３５】
このように連通孔２５Ａ及び突片２６Ａには、各周縁に、それぞれ第１の受部２９ａ、第２の受部２９ｂ、第３の受部２９ｃと第１の被受部３０ａ、第２の被受部３０ｂ、第３の被受部３０ｃとが形成されているため、表示面２８に表示を形成する印刷工程において突片２６Ａが負荷を受けても一層変形し難いと共に保持されているメモリー基板２７及びメモリー２７ａに一層負荷がかかり難い。
【００３６】
図１４乃至図１８は、連通孔又は突片の第２の変形例を示したものである。尚、以下に示す第２の変形例も、上記したテープカセット１の連通孔２５又は突片２６と比較して、形状が異なる点のみが相違するため、異なる部分についてのみ符号を変えて詳細に説明をし、その他の部分についてはテープカセット１における同様の部分に付した符号と同じ符号を付して説明は省略する。
【００３７】
連通孔２５Ｂの左側開口縁には、外周壁１３の略半分の厚みを有する段差状の部分が設けられ、この部分が第１の受部３１ａとして形成されている。連通孔２５Ｂの右側開口縁には、第１の受部３１ａと同様の大きさ及び形状を為す部分が設けられ、この部分が第２の受部３１ｂとして形成されている。連通孔２５Ｂの下側開口縁には、上方へいくに従って前方へ変位するように傾斜された部分が設けられ、この部分が第３の受部３１ｃとして形成されている。そして、第１の受部３１ａと第３の受部３１ｃと第２の受部３１ｂとが連続して形成されている。
【００３８】
突片２６Ｂには左縁と右縁とにそれぞれ外周壁１１の略半分の厚みを有する段差状の部分が設けられ、これらの部分が第１の被受部３２ａ、第２の被受部３２ｂとして形成されている。突片２６Ｂの下縁には、上方へいくに従って前方へ変位するように傾斜された部分が設けられ、この部分が第３の被受部３２ｃとして形成されている。そして、第１の被受部３２ａと第３の被受部３２ｃと第２の被受部３２ｂとが連続して形成されている。また、第３の被受部３２ｃは、上記第３の受部３１ｃと同じ傾斜角度に形成されている。
【００３９】
このように連通孔２５Ｂ及び突片２６Ｂには、各周縁に、それぞれ第１の受部３１ａ、第２の受部３１ｂ、第３の受部３１ｃと第１の被受部３２ａ、第２の被受部３２ｂ、第３の被受部３２ｃとが形成されると共に第１の受部３１ａ、第２の受部３１ｂ及び第１の被受部３２ａ、第２の被受部３２ｂが厚みが一様に厚く形成されているため、表示面２８に表示を形成する印刷工程において突片２６Ｂが負荷を受けても、より一層変形し難いと共に保持されているメモリー基板２７及びメモリー２７ａに、より一層負荷がかかり難い。
【００４０】
尚、上記した実施の形態において示した各部の形状及び構造は、何れも本発明の実施を行うに際しての具体化のほんの一例を示したものに過ぎず、これらによって本発明の技術的範囲が限定的に解釈されることがあってはならないものである。
【００４１】
【発明の効果】
以上に記載したところから明らかなように、本発明テープカセットは、上シェルと下シェルとが結合されて成るカセットシェルの内部にテープ状記録媒体を巻装したテープリールが回転自在に支持されると共にカセットシェルの内部にテープリールの外側に位置する円弧状のリブが設けられたテープカセットであって、メモリー基板に搭載された所定の情報を記憶するメモリーを保持する保持溝を有するメモリー保持部をカセットシェルの内部に形成し、上記保持溝をカセットシェルの外周壁と該外周壁からカセットシェルの内部へ突出する第１の保持壁と上記円弧状のリブの一部を用いた第２の保持壁とによって形成し、上シェル又は下シェルの外周壁にメモリー保持部に連通する連通孔を形成すると共に下シェル又は上シェルの外周壁に上シェルと下シェルとを結合したときに連通孔を閉塞する突片を設け、連通孔の開口縁に上シェルと下シェルとを結合したときに突片の縁部を受ける受部を設け、突片の外面をメモリー保持部へのメモリーの保持の有無を表示する表示面として形成したことを特徴とする。
【００４２】
従って、表示面へ大きな表示を形成できることにより外部からメモリーの保持を容易に認識することができ、また、印刷表示が分離するようなことがなく適正な印刷表示が形成されると共に見易い表示となる。
【００４３】
また、突片は受部に受けられるため、突片が変形し難く表示印刷を適正に行うことができると共に保持されているメモリー基板及びメモリーに負荷がかかり難い。
【００４４】
さらに、第２の保持壁を、もともとカセットシェルに形成されている円弧状のリブを用いて形成しているため、その分、テープカセットの製造コストの低減を図ることができる。
【００４５】
加えて、空きスペースにメモリー保持部を形成することができるため、スペースの有効活用を図ることができる。
【図面の簡単な説明】
【図１】図２乃至図８と共に本発明テープカセットの実施の形態を示すものであり、本図はテープカセットの概略斜視図である。
【図２】テープリールを支持した下シェルを示す概略平面図である。
【図３】下シェルのメモリー保持部を示す拡大平面図である。
【図４】下シェルに形成された連通孔を示す拡大背面図である。
【図５】上シェルのメモリー保持部を示す拡大底面図である。
【図６】上シェルに設けられた突片を示す拡大背面図である。
【図７】下シェルのメモリー保持部にメモリーが取り付けられた状態を示す拡大平面図である。
【図８】要部の拡大分解斜視図である。
【図９】図１０乃至図１３と共に第１の変形例を示すものであり、本図は下シェルのメモリー保持部を示す拡大平面図である。
【図１０】下シェルに形成された連通孔を示す拡大背面図である。
【図１１】上シェルのメモリー保持部を示す拡大底面図である。
【図１２】上シェルに設けられた突片を示す拡大背面図である。
【図１３】要部の拡大分解斜視図である。
【図１４】図１５乃至図１８と共に第２の変形例を示すものであり、本図は下シェルのメモリー保持部を示す拡大平面図である。
【図１５】下シェルに形成された連通孔を示す拡大背面図である。
【図１６】上シェルのメモリー保持部を示す拡大底面図である。
【図１７】上シェルに設けられた突片を示す拡大背面図である。
【図１８】要部の拡大分解斜視図である。
【符号の説明】
１…テープカセット、２…カセットシェル、３…磁気テープ（テープ状記録媒体）、４…テープリール、８…上シェル、９…下シェル、１１…外周壁、１３…外周壁、１４…円弧リブ（円弧状のリブ）、１６…メモリー保持部、１７…第１の保持壁、１８…第１の保持壁、１９…第２の保持壁、２０…第２の保持壁、２１…第１の保持溝（保持溝）、２２…第１の保持溝（保持溝）、２３…第２の保持溝（保持溝）、２４…第２の保持溝（保持溝）、２５…連通孔、２５ａ…第１の受部（受部）、２５ｂ…第２の受部（受部）、２６…突片、２７…メモリー基板、２７ａ…メモリー、２８…表示面、２５Ａ…連通孔、２９ａ…第１の受部、２９ｂ…第２の受部（受部）、２９ｃ…第３の受部（受部）、２６Ａ…突片、２５Ｂ…連通孔、３１ａ…第１の受部（受部）、３１ｂ…第２の受部（受部）、３１ｃ…第３の受部（受部）、２６Ｂ…突片
【図１】
0004310670.tif 000002
【図２】
0004310670.tif 000003
【図３】
0004310670.tif 000004
【図４】
0004310670.tif 000005
【図５】
0004310670.tif 000006
【図６】
0004310670.tif 000007
【図７】
0004310670.tif 000008
【図８】
0004310670.tif 000009
【図９】
0004310670.tif 000010
【図１０】
0004310670.tif 000011
【図１１】
0004310670.tif 000012
【図１２】
0004310670.tif 000013
【図１３】
0004310670.tif 000014
【図１４】
0004310670.tif 000015
【図１５】
0004310670.tif 000016
【図１６】
0004310670.tif 000017
【図１７】
0004310670.tif 000018
【図１８】
0004310670.tif 000019